(57)【要約】【課題】螺旋状に形成されたバルブを用いることで高い発光効率を維持しつつ、小型化及び省スペース化を可能にすること。【解決手段】蛍光ランプは、ガラス等の透光性材料によって中空気密に形成され、放電ガスが封入されたバルブ１を備える。バルブ１は、両端部の内側に電極２を有する１本の長管が、螺旋状に旋回されることで形成される。更に、螺旋中心部４と、その周りに旋回している周部５との間に、螺旋中心部４の軸方向に対して高低差を有して形成されている。即ち、照明器具に取付ける際、螺旋中心部４と高低差のある周部５とによって窪んでなる空間に、点灯装置８が収納される筐体７を配置させることができる。因って、従来の螺旋状の蛍光ランプと同様の発光効率を維持しつつ、小型化及び省スペース化を可能にすることができる。【選択図】図１
2010073492.tif 000002
【特許請求の範囲】
【請求項１】
透光性材料によって中空気密に形成され放電ガスが封入されたバルブを備え、前記バル
ブは、両端部の内側に電極を有する長管が螺旋状に旋回されて、且つ螺旋中心部と前記螺
旋中心部以外の周部との間に、前記螺旋中心部の軸方向に対して高低差を有して形成され
ることを特徴とする蛍光ランプ。
【請求項２】
前記バルブは、前記長管の長手方向の略中央部を中心に螺旋状に旋回されて形成される
ことを特徴とする請求項１記載の蛍光ランプ。
【請求項３】
前記バルブは、螺旋の最外周部に口金を具備し、前記最外周部と、前記最外周部の内側
に隣接する外周部とは、前記軸方向に対して高低差を有さずに形成されることを特徴とす
る請求項１または２記載の蛍光ランプ。
【請求項４】
前記バルブは、全体として、前記螺旋中心部を頂点とし、底面が開口した略円錐形状に
形成されることを特徴とする請求項１〜３の何れか１項に記載の蛍光ランプ。
【請求項５】
請求項１〜４の何れか１項に記載の蛍光ランプを支持する器具本体を備え、前記器具本
体は、前記蛍光ランプを点灯させるための複数の回路部品がプリント配線板に実装されて
なる点灯回路を備えた点灯装置を具備し、前記点灯装置は、前記螺旋中心部と前記螺旋中
心部以外の周部との高低差によって生じる空間に配置されることを特徴とする照明器具。
【請求項６】
前記器具本体は、前記点灯装置と、前記蛍光ランプからの光を反射させる反射板とを具
備し、前記反射板は、前記バルブと略同形で、且つ底面が開口した円錐形状に形成されて
なり、前記バルブの底面開口側より、前記反射板の頂部を前記螺旋中心部に対向させて配
設されていることを特徴とする請求項５記載の照明器具。
【請求項７】
前記器具本体は、前記点灯装置と、中空で略円錐形状に形成された筐体とを具備し、前
記筐体は、前記反射板と、前記反射板の底面開口を塞ぐ支持板とからなり、前記筐体内に
前記点灯装置が収納されることを特徴とする請求項６記載の照明器具。
【請求項８】
前記点灯装置は、前記点灯回路と、前記点灯回路を内部に収納するケースとからなり、
前記ケースは、絶縁性と反射性とを備えた材料によって前記バルブと略同形の円錐形状に
形成されることを特徴とする請求項５記載の照明器具。
【請求項９】
前記点灯装置は、前記点灯回路の給電に対するオン・オフの切替を行うスイッチ部と、
前記スイッチ部より垂下され、引張により前記スイッチ部の前記切替が可能な操作紐とを
備え、前記操作紐は、前記反射板または前記ケースの頂部、または頂部近傍に貫設されて
いる孔を通って前記筐体または前記ケースの外側へ導出されていることを特徴とする請求
項６〜８の何れか１項に記載の照明器具。
【請求項１０】
前記点灯装置は、制御部と受光部とを備え、前記制御部は、前記受光部からの制御信号
に応じて前記点灯回路に対して前記蛍光ランプの点灯状態の切替制御を行い、前記受光部
は、前記反射板または前記ケースの頂部近傍に設けられ、外部から赤外線信号を受光すれ
ば、前記制御部に対して前記赤外線信号に応じた前記制御信号を送信することを特徴とす
る請求項６〜９の何れか１項に記載の照明器具。
【請求項１１】
前記反射板または前記ケースの頂部近傍には、常夜灯が設けられていることを特徴とす
る請求項６〜１０の何れか１項に記載の照明器具。
【請求項１２】
前記反射板または前記ケースの頂部、または前記頂部近傍を貫通する貫通部が設けられ
、前記貫通部は、透光性の材料によって形成された透光部によって塞がれていることを特
徴とする請求項１０または１１記載の照明器具。
【発明の詳細な説明】
【技術分野】
【０００１】
本発明は、螺旋状に旋回されたバルブを用いた蛍光ランプ、並びにそのような蛍光ラン
プを備える照明器具に関するものである。
【背景技術】
【０００２】
従来より、省エネルギー、省スペース化、発光効率の向上等を目的とした種々の蛍光ラ
ンプが提供されている。中でも、環状蛍光ランプとして、一重環形の蛍光ランプよりもそ
の最大外周径を小さくし、環状の内周側の空間にもガラス管を配設して、従来よりも小型
で且つ発光効率の向上を目的とした蛍光ランプがある（特許文献１参照）。この蛍光ラン
プは、ガラスの長管を螺旋状に旋回させて形成することで、光源の面状化を図っている。
【０００３】
そして、この様な蛍光ランプは、一般に店舗・住宅等の天井に設置され、密閉型の照明
器具よりも下面開放型の照明器具に取付けられる。
【特許文献１】特開２００６−８５９４３号公報
【発明の開示】
【発明が解決しようとする課題】
【０００４】
しかしながら、従来の螺旋状の蛍光ランプは、実際に照明器具に取り付けたときの全体
の寸法が、従来の内周側空間にガラス管を有さない蛍光ランプと比べて、小型化・省スペ
ース化されてない問題があった。これは、内周側空間にガラス管を有さない蛍光ランプの
場合、図１４（ａ）に示すように、蛍光ランプを点灯させる点灯装置５１が、バルブ５０
の内周側空間に配設されていたのに対して、螺旋状の蛍光ランプの場合、図１４（ｂ）に
示すように、点灯装置５１が、バルブ５２の上方に配設されるからである。そのため、厚
さ方向（図１４中の上下方向）に対する寸法は、螺旋状の蛍光ランプ及び照明器具の方が
長くなっていた。
【０００５】
本発明は上記事由に鑑みて為されたものであり、その目的は、螺旋状に形成されたバル
ブを用いることで高い発光効率を維持しつつ、小型化及び省スペース化を可能にすること
ができる蛍光ランプ並びに照明器具を提供することにある。
【課題を解決するための手段】
【０００６】
請求項１の発明は、上記目的を達成するために、透光性材料によって中空気密に形成さ
れ放電ガスが封入されたバルブを備え、前記バルブは、両端部の内側に電極を有する長管
が螺旋状に旋回されて、且つ螺旋中心部と前記螺旋中心部以外の周部との間に、前記螺旋
中心部の軸方向に対して高低差を有して形成されることを特徴とする。
【０００７】
この発明によれば、螺旋状に旋回される前記バルブは、螺旋中心部と前記螺旋中心部以
外の周部との間に、前記螺旋中心部の軸方向に対して高低差を有して形成される。因って
従来の螺旋状の蛍光ランプと同様の発光効率を維持しつつ、照明器具に取付けの際、前記
螺旋中心部と、高低差のある前記周部とによって窪んでなる空間に、点灯装置を配置させ
ることができ、小型化及び省スペース化を可能にすることができる。
【０００８】
請求項２の発明は、請求項１の発明において、前記バルブは、前記長管の長手方向の略
中央部を中心に螺旋状に旋回されて形成されることを特徴とする。
【０００９】
この発明によれば、前記長管の中央部が前記螺旋中心部となり、前記長管の電極を有す
る両端部が螺旋の最外周部に位置するので、前記両端部の外側への口金の取付け、及び照
明器具への蛍光ランプの取付け作業性を向上させることができる。
【００１０】
請求項３の発明は、請求項１または２の発明において、前記バルブは、螺旋の最外周部
に口金を具備し、前記最外周部と、前記最外周部の内側に隣接する外周部とは、前記軸方
向に対して高低差を有さずに形成されることを特徴とする。  
【００１１】
この発明によれば、前記最外周部と、前記最外周部の内側に隣接する外周部とは、前記
軸方向に対して高低差を有さずに形成されるので、前記最外周部と前記外周部とを容易に
手で保持することができ、照明器具への蛍光ランプの取付け作業性を向上させることがで
きる。
【００１２】
請求項４の発明は、請求項１〜３の何れか１項の発明において、前記バルブは、全体と
して、前記螺旋中心部を頂点とし、底面が開口した略円錐形状に形成されることを特徴と
する。
【００１３】
この発明によれば、前記バルブは、全体として、前記螺旋中心部を頂点とし、底面が開
口した略円錐形状に形成されるので、照明器具に取付けの際、前記底面の開口より略円錐
形状に窪んでなる空間に点灯装置を配置させることができ、小型化及び省スペース化を可
能にすることができる。
【００１４】
請求項５の発明は、請求項１〜４の何れか１項に記載の蛍光ランプを支持する器具本体
を備え、前記器具本体は、前記蛍光ランプを点灯させるための複数の回路部品がプリント
配線板に実装されてなる点灯回路を備えた点灯装置を具備し、前記点灯装置は、前記螺旋
中心部と前記螺旋中心部以外の周部との高低差によって生じる空間に配置されることを特
徴とする。
【００１５】
この発明によれば、請求項１〜４の何れか１項に記載の発明と同様の効果を奏する照明
器具が提供できる。
【００１６】
請求項６の発明は、請求項５の発明において、前記器具本体は、前記点灯装置と、前記
蛍光ランプからの光を反射させる反射板とを具備し、前記反射板は、前記バルブと略同形
で、且つ底面が開口した円錐形状に形成されてなり、前記バルブの底面開口側より、前記
反射板の頂部を前記螺旋中心部に対向させて配設されていることを特徴とする。
【００１７】
この発明によれば、前記反射板は、前記バルブと略同形で、且つ底面が開口した円錐形
状に形成されてなるので、前記蛍光ランプからの光を効率よく所望の照射方向へ反射させ
ることができる。
【００１８】
請求項７の発明は、請求項６の発明において、前記器具本体は、前記点灯装置と、中空
で略円錐形状に形成された筐体とを具備し、前記筐体は、前記反射板と、前記反射板の底
面開口を塞ぐ支持板とからなり、前記筐体内に前記点灯装置が収納されることを特徴とす
る。
【００１９】
この発明によれば、前記点灯装置が、前記反射板と前記支持板とからなる略円錐形状に
形成された前記筐体内に収納されるので、照明器具の小型化及び省スペース化を可能にす
ることができる。
【００２０】
請求項８の発明は、請求項５の発明において、前記点灯装置は、前記点灯回路と、前記
点灯回路を内部に収納するケースとからなり、前記ケースは、絶縁性と反射性とを備えた
材料によって前記バルブと略同形の円錐形状に形成されることを特徴とする。
【００２１】
この発明によれば、前記ケースは、絶縁性を備えているので、前記点灯回路に対してシ
ョートや感電の発生を防止することができる。また、前記ケースは、反射性も備えている
ので、前記点灯装置と前記蛍光ランプとの間に反射部材を設ける必要がなく、部材点数を
削減することができる。
【００２２】
請求項９の発明は、請求項６〜８の何れか１項の発明において、前記点灯装置は、前記
点灯回路の給電に対するオン・オフの切替を行うスイッチ部と、前記スイッチ部より垂下
され、引張により前記スイッチ部の前記切替が可能な操作紐とを備え、前記操作紐は、前
記反射板または前記ケースの頂部、または頂部近傍に貫設されている孔を通って前記筐体
または前記ケースの外側へ導出されていることを特徴とする。
【００２３】
この発明によれば、前記操作紐は、前記反射板または前記ケースの頂部、または頂部近
傍に貫設されている孔を通って前記筐体または前記ケースの外側へ導出されているので、
引張時における照明器具の歪みの発生を防ぎ、操作性を向上させることができる。
【００２４】
請求項１０の発明は、請求項６〜９の何れか１項の発明において、前記点灯装置は、制
御部と受光部とを備え、前記制御部は、前記受光部からの制御信号に応じて前記点灯回路
に対して前記蛍光ランプの点灯状態の切替制御を行い、前記受光部は、前記反射板または
前記ケースの頂部近傍に設けられ、外部から赤外線信号を受光すれば、前記制御部に対し
て前記赤外線信号に応じた前記制御信号を送信することを特徴とする。
【００２５】
この発明によれば、前記受光部は、前記反射板または前記ケースの頂部近傍に設けられ
ているので、外部からの赤外線信号を効率良く受光することができる。
【００２６】
請求項１１の発明は、請求項６〜１０の何れか１項の発明において、前記反射板または
前記ケースの頂部近傍には、常夜灯が設けられていることを特徴とする。
【００２７】
この発明によれば、前記常夜灯は、前記反射板または前記ケースの頂部近傍に設けられ
ているので、効率良く照射することができる。
【００２８】
請求項１２の発明は、請求項１０または１１の発明において、前記反射板または前記ケ
ースの頂部、または前記頂部近傍を貫通する貫通部が設けられ、前記貫通部は、透光性の
材料によって形成された透光部によって塞がれていることを特徴とする。
【００２９】
この発明によれば、前記反射板または前記ケースの頂部、または前記頂部近傍には、透
光部が設けられているので、前記点灯装置内に埃等の侵入を防ぎつつ、前記受光部及び前
記常夜灯を前記反射板または前記ケースから外部へ露出しなくても、前記透光部を介して
前記受光部の赤外線信号受光及び前記常夜灯の照射の両方を行うことができる。即ち、前
記点灯装置内に、前記受光部及び前記常夜灯の両方の実装が容易となる。
【発明の効果】
【００３０】
本発明では、螺旋状に形成されたバルブを用いることで高い発光効率を維持しつつ、小
型化及び省スペース化を可能にすることができるという効果がある。
【発明を実施するための最良の形態】
【００３１】
（実施形態１）
以下、本発明の実施形態１について、図１〜図４を参照して説明する。
【００３２】
本実施形態１の蛍光ランプは、図１〜図４に示すように、ガラス等の透光性材料によっ
て中空気密に形成されたバルブ１を備えている。
【００３３】
バルブ１は、両端部の内側に一対の電極２を有する１本の長管が、その長手方向の略中
央部を中心に螺旋状に旋回されることで形成される。更に、螺旋中心部４とその周りに旋
回している周部５との間に、螺旋中心部４の軸方向に対して高低差を有して形成されてい
る。即ち、本実施形態１のバルブ１は、図１、図２及び図４に示すように、全体として、
螺旋中心部４を頂点とし、底面（図中の上面）が開口した略円錐形状に形成され、一対の
電極２は、各々周部５の最外周部５ａ端部に位置する。また、最外周部５ａの両端部の外
側には、口金３が設けられている。バルブ１の内部には、放電ガス（例えば、希ガスと水
銀蒸気）が封入され、バルブ１の内壁には、蛍光体（図示せず）が塗布されている。
【００３４】
上述の蛍光ランプは、図１に示すように、器具本体６を備える下面開放型の照明器具に
取り付けられ、店舗・住宅の天井等に設置される。
【００３５】
器具本体６は、筐体７と、点灯装置８と、灯具９とから構成される。筐体７は、蛍光ラ
ンプからの光を反射させる反射板１０と、支持板１１とから構成され、中空の略円錐形状
に形成されている。そして、筐体７の内部には、蛍光ランプを点灯させるための点灯装置
８が収納されている。
【００３６】
反射板１０は、バルブ１と略同形で、底面（図中の上面）が開口した円錐形状に形成さ
れてなり、バルブ１の底面（図中の上面）開口側より、反射板１０の頂部１０ａを螺旋中
心部４に対向させて配設される。支持板１１は、円板状に形成されてなり、反射板１０の
前記底面開口を塞ぐとともに、上面側で灯具９に固定されている。また、反射板１０及び
支持板１１は、絶縁材によって形成されており、点灯装置８に対してショートや感電の発
生を防止することができる。
【００３７】
点灯装置８は、複数の回路部品がプリント配線板（図示せず）に実装されてなる点灯回
路（図示せず）と、筐体７と略同形に形成され前記点灯回路を内部に収納するケース８ａ
とからなる。そして、点灯装置８は、筐体７内に収納されて、蛍光ランプを点灯させる高
周波電圧を供給する。灯具９は、下面が開口した略円筒形状に形成され、例えば、天井に
配設されている埋込穴（図示せず）内に埋設される。また、灯具９の下面左右両端部には
、下方が開口した略円筒形状の一対のランプソケット（図示せず）が配設されている。前
記ランプソケットの端子部（図示せず）は、電線を介して点灯装置８の出力側と接続され
ている。そして、一対の口金３上面に各々突設される差込片（図示せず）が、前記ランプ
ソケットの開口側より嵌合されることで、電極２と点灯装置８とが導通されるとともに、
蛍光ランプが照明器具に取付けられる。尚、本実施形態１の口金３は、螺旋状の周部５の
最外周部５ａ端部に位置するので、照明器具への蛍光ランプの取付け作業が容易である。
また、灯具９及び支持板１１には、上下方向に貫通してなる貫通穴（図示せず）が設けら
れており、前記貫通穴を挿通する電線を介して、電源（例えば、商用電源）より点灯装置
８に給電される。
【００３８】
以上説明した本実施形態１の蛍光ランプは、１本の長管が螺旋状に旋回されて、更に全
体として、螺旋中心部４を頂点とし、底面が開口した略円錐形状に形成されたバルブ１を
備えている。因って、従来の螺旋状の蛍光ランプと同様の発光効率を維持しつつ、略円錐
形状に窪んでなる空間に、点灯装置８が収納される筐体７を配置させることができ、従来
の螺旋状の蛍光ランプ及び照明器具よりも小型化及び省スペース化を可能にすることがで
きる。また、円錐の頂点である螺旋中心部４は、他の周部５に比べ最下方に位置するので
、螺旋中心部４を最冷点部（バルブ１の表面で最も温度が低い部位）として温度管理を行
えば、蛍光ランプの発光効率をより向上させることができる。
【００３９】
そして、本実施形態１の蛍光ランプを備える照明器具は、バルブ１と略同形の円錐形状
に形成された反射板１０を具備しており、蛍光ランプからの光を効率よく所望の照射方向
へ反射させることができる。
【００４０】
ところで、本実施形態１の照明器具は、筐体７内に点灯装置８を収納しているが、点灯
装置８のケース８ａ自体が、蛍光ランプの光を反射する反射面を有し、且つ絶縁材で形成
されても良い。そうすることで筐体７を必要とせず、部材点数を削減することができる。
【００４１】
（実施形態２）
本実施形態２は、基本的な構成が実施形態１と共通であるので、共通の構成要素には、
同一の符号を付して説明を省略する。
【００４２】
本実施形態２の点灯装置８は、スイッチ部１２と、操作紐１４とを備える点に特徴があ
る。操作紐１４は、図５に示すように、所望の長さを有する紐からなり、一端部にはリン
グ状の補助具１４ａが設けられ、他端部はスイッチ具１４ｂを介してスイッチ部１２（図
５には図示せず）に接続されている。そして、操作紐１４は、補助具１４ａ側が筐体７の
外側へ垂下されるように、点灯装置８のケース８ａの頂点より引き出され、反射板１０の
頂部１０ａに貫設されている孔１０ｂ、及び蛍光ランプの螺旋中心部４近傍の隙間を通っ
て導出されている。スイッチ部１２は、図６に示すように、商用電源１５と点灯回路２２
との間に介装され、点灯回路２２の給電に対するオン・オフの切替を行う。補助具１４ａ
を手で保持し、手動により上下方向に引張動作を行えば、操作紐１４を伝ってスイッチ部
１２のオフからオン、若しくはオンからオフへと切替が行われ、蛍光ランプを点灯状態、
若しくは消灯状態にすることができる。
【００４３】
尚、点灯回路２２は、商用電源１５の交流電圧を、例えば整流後インバータ回路によっ
て高周波電圧へ変換し、蛍光ランプへ印加している。
【００４４】
このように本実施形態２の照明器具は、操作紐１４の引張により、実施形態１の蛍光ラ
ンプの点灯状態の切替えを行うことができる。そして、操作紐１４は、反射板１０の頂部
１０ａに貫設されている孔１０ｂ、及び蛍光ランプの螺旋中心部４近傍の隙間を通って筐
体７の外側へ導出されているので、引張時における照明器具の歪みの発生を防ぎ、操作性
を向上させることができる。
【００４５】
（実施形態３）
本実施形態３は、基本的な構成が実施形態１と共通であるので、共通の構成要素には、
同一の符号を付して説明を省略する。
【００４６】
本実施形態３の点灯装置８は、制御部１３と、受光部１６とを備える点に特徴がある。
受光部１６は、図７に示すように、外部からの赤外線信号を受光する受光面１６ａが、点
灯装置８のケース８ａの頂点から下方に露出するように点灯装置８のプリント配線板（図
示せず）上に実装されている。即ち、受光部１６は、反射板１０の頂部１０ａ近傍に配設
されている。また、頂部１０ａには、穴部１０ｃが貫設されている。そして、赤外線リモ
コン（図示せず）により、赤外線信号を受光面１６ａに送光すれば、受光部１６は、図８
に示すように、受光した赤外線信号に応じて制御信号を作成し、制御部１３へ送信する。
制御部１３は、前記制御信号に応じて点灯回路２２に対して蛍光ランプの点灯状態（例え
ば、点灯のオン・オフ）の切替制御を行う。
【００４７】
尚、点灯回路２２は、実施形態２と同様に、商用電源１５の交流電圧を、例えば整流後
インバータ回路によって高周波電圧へ変換し、蛍光ランプへ印加している。
【００４８】
このように本実施形態３の照明器具は、赤外線リモコン等の外部から赤外線信号の送光
すれば、照明器具より離れた位置からでも実施形態１の蛍光ランプの点灯状態の切替えを
行うことができる。そして、受光部１６は、反射板１０の頂部１０ａ近傍に設けられてい
るので、外部からの赤外線信号を効率良く受光することができる。
【００４９】
（実施形態４）
本実施形態４は、基本的な構成が実施形態１と共通であるので、共通の構成要素には、
同一の符号を付して説明を省略する。
【００５０】
本実施形態４の反射板１０の頂部１０ａ近傍には、常夜灯１７が設けられている点に特
徴がある。常夜灯１７は、図９に示すように、発光部１７ａが筐体７から外部へ露出する
ように、点灯装置８のプリント配線板（図示せず）上に実装されている。即ち、常夜灯１
７は、点灯装置８のケース８ａの頂点から下方に突出し、更に頂部１０ａに貫設される挿
通部１０ｄを挿通して、筐体７から下方へ突出している。そして、蛍光ランプが消灯状態
のとき、点灯装置８の点灯回路２２は、図１０に示すように、常夜灯１７への給電を行い
、常夜灯１７を点灯させる。そして、蛍光ランプが点灯状態のとき、常夜灯１７への給電
を止めて、常夜灯１７を消灯させる。また、蛍光ランプ・常夜灯１７の両方を同時に消灯
状態にさせることができてもよい。
【００５１】
尚、点灯回路２２は、実施形態２及び３と同様に、商用電源１５の交流電圧を、例えば
整流後インバータ回路によって高周波電圧へ変換し、蛍光ランプへ印加している。
【００５２】
このように本実施形態４の照明器具の常夜灯１７は、反射板１０の頂部１０ａ近傍に配
設されるので、効率良く照射することができる。
【００５３】
（実施形態５）
本実施形態５は、基本的な構成が実施形態１と共通であるので、共通の構成要素には、
同一の符号を付して説明を省略する。
【００５４】
本実施形態５の反射板１０は、透光部１８を備える点に特徴がある。透光部１８は、透
光性の材料によって形成されてなり、図１１に示すように、反射板１０の頂部１０ａに貫
設される貫通部１０ｅを塞ぐように配設されている。因って、点灯装置８内に埃等の侵入
を防ぎつつ、実施形態３の受光部１６及び実施形態４の常夜灯１７を反射板１０から露出
させなくても、透光部１８を介して、受光部１６は赤外線信号を受光することができ、常
夜灯１７は効率よく照射することができる。そして、点灯装置８内のプリント配線板（図
示せず）に、受光部１６及び常夜灯１７の両方を同時に実装（図１１では常夜灯１７のみ
図示）することが容易となる。
【００５５】
尚、本実施形態５の照明器具は、点灯装置８のケース８ａの頂点にも反射板１０と同様
に、貫通部８ｂ及び透光部１９が設けられているが、ケース８ａ自体が透光性の材料よっ
て形成されていれば必要ない。
【００５６】
ところで、実施形態１の反射板１０は、図１に示すように、略円錐形状に形成されてい
るが、図５、図７、図９及び図１１の反射板１０のように、底面開口の周縁から外側（図
中の左右方向）に向かって延設されてなる鍔部２０を設ければ、蛍光ランプからの光をよ
り効率よく所望の照射方向への反射することができる。また、図１２に示すように、鍔部
２０を下方へ曲折させて設ければ、更に効率よく反射することができる。
【００５７】
（実施形態６）
本実施形態６は、基本的な構成が実施形態１と共通であるので、共通の構成要素には、
同一の符号を付して説明を省略する。
【００５８】
本実施形態６のバルブ１は、最外周部５ａと外周部５ｂとが高低差を有さずに形成され
る点に特徴がある。最外周部５ａは、図１３に示すように、最外周部５ａの内側に隣接す
る外周部５ｂと、螺旋中心部４の軸方向（図中の上下方向）に対して高低差がなく、同一
水平面上で旋回されている。因って、照明器具への蛍光ランプの取付けの際、最外周部５
ａ及び外周部５ｂを手で保持しながら、一対の口金３上面に各々突設されている差込片（
図示せず）を、灯具９の下面両端部に配設される一対のランプソケット２１へ容易に嵌合
することができ、作業性を向上させることができる。
【図面の簡単な説明】
【００５９】
【図１】本発明の実施形態１の断面図である。
【図２】同上における斜視図である。
【図３】同上における平面図である。
【図４】同上における側面図である。
【図５】本発明の実施形態２の断面図である。
【図６】同上における点灯装置のブロック図である。
【図７】本発明の実施形態３の断面図である。
【図８】同上における点灯装置のブロック図である。
【図９】本発明の実施形態４の断面図である。
【図１０】同上における点灯装置のブロック図である。
【図１１】本発明の実施形態５の断面図である。
【図１２】本発明の実施形態１の反射板に曲折する鍔部を有する断面図である。
【図１３】本発明の実施形態６の断面図である。
【図１４】従来の蛍光ランプの一例の断面図を示し、（ａ）は一重環形の蛍光ランプで（ｂ）は螺旋状の蛍光ランプである。
【符号の説明】
【００６０】
１  バルブ
２  電極
４  螺旋中心部
５  周部
７  筐体
８  点灯装置
【図１】
2010073492.tif 000003
【図２】
2010073492.tif 000004
【図３】
2010073492.tif 000005
【図４】
2010073492.tif 000006
【図５】
2010073492.tif 000007
【図６】
2010073492.tif 000008
【図７】
2010073492.tif 000009
【図８】
2010073492.tif 000010
【図９】
2010073492.tif 000011
【図１０】
2010073492.tif 000012
【図１１】
2010073492.tif 000013
【図１２】
2010073492.tif 000014
【図１３】
2010073492.tif 000015
【図１４】
2010073492.tif 000016